(57)【要約】【課題】撮像系への位置決めと組み込みが容易な光量調節装置及びそれを用いたカメラ装置を提供する。【解決手段】撮像ユニット４６のエレクトレットシャッタから成るシャッタ装置４４はシャッタ枠５１との対向面４４−１、４４−２に２個の位置決め用凸部５６を有する。撮像ユニット４６を組上げるためにシャッタ枠５１、シャッタ装置４４、弾性部材５５及び光学フィルタ４５が順に積層され、シャッタ装置固定部材５０の４つの爪部５９のスナップフィット機構によりシャッタ枠５１に固定される際、シャッタ装置４４の２個の位置決め用突起５６がシャッタ枠５１の嵌合穴５７及び長穴５８に嵌入し、シャッタ装置４４が光軸Ｏの直角方向（Ｘ方向とＺ方向、第１と第３の方向）に対して位置決めされる。このときシャッタ装置４４の外面４４−１及び４４−２がシャッタ枠５１の内側面６２に当接して光軸Ｏ方向（Ｙ方向、第２の方向）も位置決めされる。【選択図】      図８
2006038885.tif 000002
【特許請求の範囲】
【請求項１】
予め所定の間隔で分極された遮光幕と、該遮光幕を駆動するための帯状電極と、所定の光軸を有する光束を通過させるための光学的開口を有する基板と、光学的開口部を有し前記遮光幕を前記基板との間に移動可能に保持する押さえ板とで構成される光量調節装置であって、
前記基板又は前記押さえ板に、当該基板または押さえ板を相対的に光学的位置決めをする位置決め部を具備することを特徴とする光量調節装置。
【請求項２】
前記位置決め部は、前記基板又は前記押さえ板において、前記光学的開口を除く前記遮光幕の移動範囲内に設けられることを特徴する請求項１記載の光量調節装置。
【請求項３】
前記位置決め部は、前記基板又は前記押さえ板において、前記光学的開口を除く前記光軸と垂直な面で該面に対し垂直方向に形成された凸部又は凹部であることを特徴とする請求項１記載の光量調整装置。
【請求項４】
前記位置決め部は、前記基板又は前記押さえ板において、前記光軸と平行な端面であることを特徴とする請求項１記載の光量調節装置。
【請求項５】
前記位置決め部は、前記基板又は前記押さえ板において、前記遮光幕の移動方向に平行な外面であること特徴とする請求項１記載の光量調整装置。
【請求項６】
予め所定の間隔で分極された遮光幕と、該遮光幕を駆動するための帯状電極と、所定の光軸を有する光束を通過させるための光学的開口を有する基板と、光学的開口部を有し前記遮光幕を前記基板との間に移動可能に保持する押さえ板とで構成される光量調節装置であって、
前記基板又は前記押さえ板に、光学的に位置決めする互いに異なる方向の第１、第２及び第３の位置決め部を具備することを特徴とする光量調節装置。
【請求項７】
前記第１の位置決め部は、前記光軸に平行な方向の位置決め部であり、前記第２の位置決め部は、前記遮光幕の移動方向に平行な方向の位置決め部であり、前記第３の位置決め部は、前記遮光幕の移動方向に垂直な方向の位置決め部である、ことを特徴とする請求項６記載の光量調節装置。
【請求項８】
前記第１の位置決め部は、前記基板又は前記押さえ板の光軸と垂直な外面であり、前記第２の位置決め部は、前記基板又は前記押さえ板の短辺側端面であり、前記第３の位置決め部は、前記基板又は前記押さえ板の長辺側端面である、ことを特徴とする請求項７記載の光量調節装置。
【請求項９】
請求項１乃至８のいずれかに記載の光量調節装置が光学系のシャッタ位置又は絞り位置に組み込まれていることを特徴とするカメラ装置。
【発明の詳細な説明】
【技術分野】
【０００１】
本発明は、撮像系への位置決めと組み込みが容易な光量調節装置及びそれを用いたカメラ装置に関する。
【背景技術】
【０００２】
近年、光学レンズなどを用いて結像させた被写体像をＣＣＤ（Charge Coupled Device ）などの撮像素子で電気信号に変換し、記録媒体に撮像画像として記録するデジタルカメラが普及してきている。
【０００３】
一般に、カメラには銀塩フィルム用カメラやデジタルカメラのいずれにおいても、被写体からの光路上の光学的開口に、被写体からの光量を調節するための絞りや被写体の瞬時の像を捉えるためのシャッタを設けることが必要である。
【０００４】
そのようなカメラのシャッタや絞りのような光量調節装置の遮光幕の駆動に誘導電荷型アクチュエータを用いる例も提案されている。その光量調節装置としては、１個のステータ（固定子、基板）に対しスライダ（移動子、遮光幕）が１個のものと２個のものがあり、いずれもスライダをシャッタ羽根又は絞り羽根として機能させる基板上にスライダ駆動用の帯状電極を設けた実施例が開示されている。（例えば、特許文献１参照。）
【特許文献１】特開平０８−２２０５９２号公報（［要約］、図１、［００１１］、図２）
【発明の開示】
【発明が解決しようとする課題】
【０００５】
しかしながら、上記の特許文献１には、図に示される光量調節装置の駆動方法の概略が開示されているが、その光量調節装置をカメラの光学系に、どのように位置決めして、どのように組み込むのかについては、一切開示されていない。したがって、特許文献１の記載からでは当業者といえども光量調節装置のカメラへの実用化は不可能である。
【０００６】
本発明の課題は、上記従来の実情に鑑み、撮像系への位置決めと組み込みが容易な光量調節装置及びそれを用いたカメラ装置を提供することである。
【課題を解決するための手段】
【０００７】
先ず、第１の発明の光量調節装置は、予め所定の間隔で分極された遮光幕と、該遮光幕を駆動するための帯状電極と、所定の光軸を有する光束を通過させるための光学的開口を有する基板と、光学的開口部を有し上記遮光幕を上記基板との間に移動可能に保持する押さえ板とで構成される光量調節装置であって、上記基板又は上記押さえ板に、当該基板又は押さえ板を相対的に光学的位置決めをする位置決め部を具備して構成される。
【０００８】
上記位置決め部は、上記基板又は上記押さえ板において、例えば、上記光学的開口を除く上記遮光幕の移動範囲内に設けられ、また、例えば、上記光学的開口を除く上記光軸と垂直な面で該面に対し垂直方向に形成された凸部又は凹部であり、また、例えば、上記光軸と平行な端面であり、また、例えば、上記遮光幕の移動方向に平行な外面であるように構成される。
【０００９】
次に、第２の発明の光量調整装置は、予め所定の間隔で分極された遮光幕と、該遮光幕を駆動するための帯状電極と、所定の光軸を有する光束を通過させるための光学的開口を有する基板と、光学的開口部を有し上記遮光幕を上記基板との間に移動可能に保持する押さえ板とで構成される光量調節装置であって、上記基板又は上記押さえ板に、光学的に位置決めする互いに異なる方向の第１、第２及び第３の位置決め部を具備して構成される。
【００１０】
この光量調整装置において、例えば、上記第１の位置決め部は、上記光軸に平行な方向の位置決め部であり、上記第２の位置決め部は、上記遮光幕の移動方向に平行な方向の位置決め部であり、上記第３の位置決め部は、上記遮光幕の移動方向に垂直な方向の位置決め部であるように構成され、また、例えば、上記第１の位置決め部は、上記基板又は上記押さえ板の光軸と垂直な外面であり、上記第２の位置決め部は、上記基板又は上記押さえ板の短辺側端面であり、上記第３の位置決め部は、上記基板又は上記押さえ板の長辺側端面であるように構成される。
【００１１】
そして、第３の発明のカメラ装置は、上記いずれかの光量調節装置が光学系のシャッタ位置又は絞り位置に組み込まれて構成される。
【発明の効果】
【００１２】
本発明によれば、光量調節装置の基板又は押さえ板に位置決め部を設けるので、光量調節装置が組み込まれる機器の光軸に対する光量調節装置の偏心や、光量調節装置が組み込まれる機器の撮像面と光量調節装置との間隔を高精度に位置決めすることができる。
【発明を実施するための最良の形態】
【００１３】
以下、本発明の実施の形態を図面を参照しながら説明する。
（実施例１〜３）
図１は、本発明の光量調節装置が組み込まれた一眼レフデジタルカメラ本体と、その交換レンズの正面図である。図１の上に示す一眼レフデジタルカメラ本体１は、交換レンズ取り付け部２から図１の下に示す交換レンズ３を取り外してレンズ背後に在る内部構成を示している。
【００１４】
図１の上に示す内部構成において、図では陰になって見えない奥部の光電変換素子の焦点面に対して被写体側の近傍には、静電気力を応用したフォーカルプレーンシャッタ（光量調節装置）と光学フィルタとが組み込まれた撮像装置４が組み込まれている。図１の上に示す図では、撮像装置４の中央部分が見えている。尚、図１の上には、撮像装置４を図示しやすくするために、本来はその手前に配置されているクイックリターンミラーの図示を省略している。この一眼レフデジタルカメラ本体１は、図の左側に電池室を兼ねた握り部５があり、その上面部にシャッタボタン６を備えている。
【００１５】
図２は、本発明の光量調節装置であるフォーカルプレーンシャッタ装置の一例を示す分解斜視図である。図２に示すように、本例のフォーカルプレーンシャッタ装置７は、図の左から右に示す第１の基板８、第１のスペーサ９、第１の遮光幕１１、押さえ板１２、第２の遮光幕１３、第２のスペーサ１４、及び第２の基板１５とで構成される。
【００１６】
第１の基板８は、例えばガラス板のような透明な部材からなり、組み立て後に内側となる面には、光学的開口部１６と遮光幕非移動部１７を除く面全面に、帯状電極１８が設けられて一方の電極基板を形成していいる。
【００１７】
第２の基板１５も同様にガラス板のような透明な部材からなり、第１の基板８に対し、押さえ板１２の中心点に対し点対称の形状で、光学的開口部１９と遮光幕非移動部２１を除く内側面全面に帯状電極２２が設けられて他方の電極基板を形成している。
【００１８】
第１のスペーサ９は、第１の基板８と押さえ板１２との間に第１の遮光幕１１が移動可能な間隙を維持するために配置されている。第２のスペーサ１４も同様に、第２の基板１５と押さえ板１２との間に第２の遮光幕１３が移動可能な間隙を維持するために配置されている。
【００１９】
第１の遮光幕１１及び第２の遮光幕１３は、詳しくは後述するが、予め所定のピッチで電気的に分極されたエレクトレットが施されており、それぞれ第１のスペーサ９及び第２のスペーサ１４の枠内に嵌入し、第１の基板８の帯状電極１８及び第２の基板１５の帯状電極２２によって、あるときは光学的開口部１６、１９及び後述の２３の光路を遮断し、あるときは開放するように駆動される。
【００２０】
本例の押さえ板１２は、第１の基板８及び第２の基板１５の駆動中に両者が干渉しないように、それぞれを第１のスペーサ９及び第２のスペーサ１４内に移動可能に押さえ込んでいる。この押さえ板１２は、光学的に不透明な例えば金属等の板状部材で形成されており、第１の基板８の光学的開口部１６及び第２の基板１５の光学的開口部１９に対応する中央部の位置に物理的貫通孔から成る光学的開口部２３を備えている。
【００２１】
図３は、左下から右上に本発明の光量調節装置であるフォーカルプレーンシャッタ装置の他の例を分解斜視図で示し、右下に分解斜視図のＡ矢視図を示している。このフォーカルプレーンシャッタ装置２４は、片走りの遮光幕を有するフォーカルプレーンシャッタ装置の例を示している。
【００２２】
図３に示すように、片走り遮光幕のフォーカルプレーンシャッタ装置２４は、電極基板２５、スペーサ２６、遮光幕２７、及び押さえ板２８とで構成される。電極基板２５は、例えばガラス板のような透明な部材からなり、組み立て後に外側となる面には光学的開口部２９を除く全面に例えば黒色の塗装３１等により遮光処理がなされている。また、組み立て後に内側となる面には、図１の右下に示すように、光学的開口部２９と遮光幕非移動部３２を除く面全面に、帯状電極３３が設けられている。
【００２３】
スペーサ２６は、電極基板２５と押さえ板２８との間に遮光幕２７が移動可能な間隙を維持するために配置されている。遮光幕２７は、これも詳しくは後述するが、予め所定のピッチで電気的に分極されたエレクトレットが施されており、スペーサ２６の枠内に嵌入し、電極基板２５の帯状電極３３によって、あるときは光学的開口部２９の光路を遮断し、あるときは開放するように駆動される。
【００２４】
本例の押さえ板２８は、透明の板ガラス又は樹脂で形成されており、スペーサ２６を介して電極基板２５と対向配置され、遮光幕２７をスペーサ２６の枠内に移動可能に押さえ込んでいる。
【００２５】
ここで、本例におけるフォーカルプレーンシャッタ７又は２４における遮光幕１１、１３又は２７を駆動するシャッタ機構の駆動原理を説明する。
図４は、本発明のフォーカルプレーンシャッタ（光量調節装置）におけるシャッタ機構の駆動原理を説明する図である。尚、以下の駆動原理の説明では、電極基板に代えて固定子と言い、遮光幕に代えて移動子と言うことにする。
【００２６】
本シャッタ機構は、基本的に固定子３４と移動子３５とを備え、移動子３５は、固定子３４に対して図４の上と下に示すように左右方向に移動自在に構成されている。そして、固定子３４には、被写体からの光像を詳しくは後述する撮像素子に導くための開口部（光学的開口部３６）が設けられ、更に、複数の帯状電極３７が所定の間隔で並べて形成されている。他方の移動子３５は、遮光性を有する部材であり、永久分極された誘電体の部位を備えている。このような移動子３５の構成はエレクトレットと呼ばれている。
【００２７】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００２８】
上記のシャッタ機構において、帯状電極３７に正負の電圧を周期的に印加すると、帯状電極３７と移動子３５の上記エレクトレットとの間に吸引力又は反発力が発生し、結果的に移動子３５が固定子３４に対して相対移動する。
【００２９】
したがって、移動子３５が固定子３４の開口部（光学的開口部３６）を開放又は遮蔽するように移動可能にすることによってシャッタ機構を構成することができる。図４の上はシャッタが開の状態を示し、図４の下はシャッタが閉の状態を示している。以下、本構成に係るシャッタ機構を「エレクトレットシャッタ」と称することにする。
【００３０】
なお、固定子３４の開口部（光学的開口部３６）は、必ずしも貫通孔のような物理的な開口部とする必要はなく、固定子３４を光透過部材とし、開口部に相当する位置に帯状電極３７が設けられていない光透過領域を形成するようにしても良い。
【００３１】
図５は、エレクトレットシャッタとその駆動回路を模式的に示す図である。同図は右にエレクトレットシャッタの断面を模式的に示し、左に駆動回路をブロック図で示している。同図に示すように、固定子３４に並べられたそれぞれの帯状電極３７には、駆動（電圧印加）回路３８からの電圧信号線が接続されている。この電圧信号線には４相の電圧信号が印加され、従って、帯状電極３７には、４本毎に同一の電圧信号が印加される。図５では、帯状電極３７にＡ、Ｂ、Ｃ、Ｄの符号を付してこの電圧信号を区別している。
【００３２】
この固定子３４の帯状電極３７の配設面に対向して移動子３５が配置されている。移動子３５には、固定子３４との対向面に永久分極された上述した誘電体（エレクトレット）３９を複数備えている。
【００３３】
図５の左に示す駆動回路３８では、パルス発生回路４１で矩形波列（駆動パルス信号）が生成され、この駆動パルス信号が昇圧回路４２と位相器４３に供給される。昇圧回路４２では、入力した駆動パルス信号を１００Ｖ程度まで昇圧するとともに、２つの極性を有する電圧信号に分岐して、駆動電極Ａ及びＣに供給する。
【００３４】
他方、位相器４３に入力した駆動パルス信号は、９０°位相が遅れた波形となり、その後、昇圧回路４２に入力されて、上述と同様の２つの極性を有する電圧信号に分岐されて駆動電極Ｂ及びＤに供給される。
【００３５】
図６は、駆動回路３８によって生成されて帯状電極３７に印加される電圧信号列を示す図である。帯状電極３７（Ａ、Ｂ、Ｃ、Ｄ）の電圧の状態は、期間Ｔにおけるｔ１〜ｔ４の４つの状態変化が時間ｔにおける期間Ｔごとの経過に対応して繰り返される。
【００３６】
図７は、上記のエレクトレットシャッタの動作を更に説明する図である。図７の(1) は図６において各帯状電極３７（Ａ，Ｂ，Ｃ，Ｄ）の電圧状態が、図６に示したｔ１の印加電圧の状態に切り替った直後のエレクトレットと帯状電極との対応関係を示している。
【００３７】
エレクトレット３９ａは、帯状電極Ａから反発力を受け、帯状電極Ｂから吸引力を受ける。また、エレクトレット３９ｂは、帯状電極Ｃから反発力を受け、帯状電極Ｄから吸引力を受ける。このため、移動子３５は図の右方向に力を受けて、１つの帯状電極ピッチｄだけ移動する。
【００３８】
図７の(2) は、上記に続いて図６に示したｔ２の印加電圧の状態に切り替った直後のエレクトレットと帯状電極との対応関係を示している。エレクトレット３９ａは、帯状電極Ｂから反発力を受け、帯状電極Ｃから吸引力を受ける。また、エレクトレット３９ｂは、帯状電極Ｄから反発力を受け、帯状電極Ａから吸引力を受ける。このため、移動子３５は図の右方向に力を受けて、再び１つの帯状電極ピッチｄだけ移動する。
【００３９】
図７の(3) は、上記に続いて図６に示したｔ３の印加電圧の状態に切り替った直後のエレクトレットと帯状電極との対応関係を示し、図７の(4) は、図７の(3) に続いて図６に示したｔ４の印加電圧の状態に切り替った直後のエレクトレットと帯状電極との対応関係を示している。図７の(1) 及び(2) で説明した動作と同様に、移動子３５は、１つの帯状電極ピッチｄだけ順次移動する。
【００４０】
そして、この動作が繰り返されることにより、移動子３５は図７の右方向に移動する。なお、移動子３５を図７の左方向に移動するためには、帯状電極３７に印加する電圧の極性を逆に切り替えればよい。
【００４１】
このように、本例の移動子３５は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【実施例１】
【００４２】
図８の左上は、図２及び図３に示したフォーカルプレーンシャッタ装置７又は２４（以下、シャッタ装置４４という）及び光学フィルタ４５で構成された撮像ユニット４６を示す斜視図であり、図８の左下から右上までは、その撮像ユニット４６を、その撮像ユニット４６が組み付けられる撮像素子（ＣＣＤ：Charge Coupled Device)４７と共に示す分解斜視図であり、図８の右下は上記分解斜視図のＢ矢視図である。
【００４３】
図８において、組み立て後の撮像素子４７は、撮像素子固定板４８を介して回路基板４９と電気的に接続される。そして、そのように撮像素子４７、撮像素子固定板４８、回路基板４９が組みつけられたユニットに、シャッタ枠５１が、撮像素子固定板４８のネジ孔５３に、シャッタ枠５１のネジ孔５４に挿通される不図示のネジによりネジ止めされる。尚、回路基板４９には、不図示のネジとの干渉を防ぐネジ逃げ孔５２が設けられている。このシャッタ枠５１の上記撮像素子４７の取り付け面とは反対側に、シャッタ装置４４、弾性部材５５及び光学フィルタ４５が順に積層される。
【００４４】
このような撮像ユニット４６、撮像素子４７、撮像素子固定板４８、及び回路基板４９で、図１に示す撮像装置４が構成されている。
この実施例１としてのシャッタ装置４４には、シャッタ枠５１と対向する面（図２の第２の基板１５又は図３の押さえ板２８の外面）の光学的開口（図２の光学的開口１６、１９、２３、又は図３の光学的開口２９）を除く光軸Ｏと垂直な面で、該面に対し垂直方向に形成された２個の位置決め用凸部５６が突設されている。また、この２個の位置決め用凸部５６は、光学的開口（図２の光学的開口１６、１９、２３）を除く遮光幕（図２の遮光幕１１、１３）の移動範囲内に設けられている。但しシャッタ枠５１と対向するシャッタ装置４４の面が図３の押さえ板２８の外面である場合は、光学的開口２９を除く遮光幕２７の移動範囲内及び非移動範囲内となる。
【００４５】
そして、上記の積層に際しては、シャッタ装置４４の２個の位置決め用突起５６がシャッタ枠５１に形成されている嵌合穴５７及び長穴５８に嵌入する。
これにより、シャッタ装置４４は、シャッタ枠５１つまり撮像素子４７に対して光軸Ｏの直角方向（Ｘ方向とＺ方向つまり第１と第３の方向）に対して位置決めされる。
【００４６】
その後、シャッタ装置４４に上記のように弾性部材５５及び光学フィルタ４５を順次重ねて、これらをシャッタ装置固定部材５０の４つの爪部５９のスナップフィット機構により、シャッタ枠５１に固定する。
【００４７】
このスナップフィット機構について詳しく説明すると、シャッタ装置固定部材５０の上２箇所、下２個所の合計４箇所にある爪部５９がシャッタ枠５１の切り欠き部６１に上下に広がりながら挿入され、爪部５９の鉤部５９−１がシャッタ枠５１の上記切り欠き部６１の外側面６１−１（図では下の外側面６１−１は陰になって見えない）に至ったとき爪部５９の鉤部５９−１が切り欠き部６１の外側面６１−１に上から（または下から）回り込むように引っ掛かることにより爪部５９が元の状態に戻ってシャッタ装置固定部材５０がシャッタ枠５１に係合する。
【００４８】
この係合により、弾性部材５５の弾性力によって、一方ではシャッタ装置４４がシャッタ枠５１に向けて押圧され、他方では光学フィルタ４５がシャッタ装置固定部材５０に向けて押圧されて、全体が固定されるようになっている。
【００４９】
このとき、シャッタ装置４４の遮光幕（図２の遮光幕１１、１３及び図３の遮光幕２７参照）の移動方向に平行な外面４４−１及び４４−２がシャッタ枠５１の内側面６２に当接して光軸Ｏ方向（Ｙ方向つまり第２の方向）に位置決めされる。シャッタ枠５１のシャッタ装置４４と対向する上記内側面６２のシャッタ枠内壁に接する縁部分には、凹部６３が設けられており、これによりシャッタ装置４４がシャッタ枠５１の平坦な内側面６２で確実に位置決めされるように構成されている。
【００５０】
また、シャッタ装置固定部材５０の物理的貫通孔により形成されている光学的開口部６４は。その開口部を形成する開口内周面が光学フィルタ４５が嵌入する内側枠６５−１と、光学フィルタ４５の周囲寸法よりもやや小さい周囲寸法で形成された外側枠６５−２から成る段差付きの内周面を有する開口部を形成している。これにより光学フィルタ４５が位置決めされる。
【００５１】
尚、上記の光学フィルタ４５は、高周波成分の透過を制限する機能を有するフィルタを使用してもよく、また、可視域外の光線の透過を制限する機能を有するフィルタを使用するようにしてもよい。また、弾性部材５５は、光軸Ｏに沿って透過する光束の範囲外に設けられる額縁状の部材であり、例えばネオプレンゴム、ブタジエンゴム等の樹脂を材料として形成されるのが好ましい。
【００５２】
本例の構成においては、撮像ユニット４６は上述したようにスナップフィット機構により固定されており、光学フィルタ４５とシャッタ装置４４、又はシャッタ装置固定部材５０と光学フィルタ４５には、それぞれ接着部分が無いので、シャッタ装置固定部材５０の爪部５９を、お互いに、つまり上下に広がる方向に広げてシャッタ装置固定部材５０をシャッタ枠５１から取り外すことにより、光学フィルタ４５のみを（シャッタ装置４４も同様）容易にシャッタ枠５１から取り外すことができる。
【実施例２】
【００５３】
図９において、左上は、実施例２のシャッタ装置を組み付けた撮像ユニットを示す斜視図であり、左下から右上までは、その撮像ユニットを、その撮像ユニットが組み付けられる撮像素子と共に示す分解斜視図、右下は、上記分解斜視図のＣ矢視図である。尚、図９では、図８と異なる構成部分には番号に「´」を付けて示し、図８と同一構成部分には説明に必要な部分にのみ図８と同一の番号を付与して示している。
【００５４】
図９に示すように、本例の撮像ユニット４６´におけるシャッタ装置４４´は、図８に示した２個の位置決め用凸部５６の位置に、それぞれ面に対し垂直方向に形成された丸穴の位置決め用嵌合凹部６６と長穴の位置決め用嵌合凹部６７が穿設されている。また、これら位置決め用嵌合凹部６６及び６７に対応して、シャッタ枠５１´には、図８に示した嵌合穴５７及び長穴５８の位置に、それぞれ係合用凸部６８が突設されている。
【００５５】
これにより、撮像ユニット４６´の組上げに際し、図８の場合と同様に、シャッタ枠５１´の撮像素子４７の取り付け面とは反対側に、シャッタ装置４４´、弾性部材５５及び光学フィルタ４５が順に積層されるとき、シャッタ装置４４´の位置決め用嵌合凹部６６及び６７がシャッタ枠５１´の２個の係合用凸部６８にそれぞれ係合して、シャッタ装置４４´がシャッタ枠５１´つまり撮像素子４７に対して光軸Ｏの直角方向（Ｘ方向とＺ方向つまり第１と第３の方向）に対して位置決めされる。
【００５６】
シャッタ装置４４´の光軸Ｏ方向（Ｙ方向つまり第２の方向）の位置決めは、図８の場合と同様である。
【実施例３】
【００５７】
図１０において、左上は、実施例３のシャッタ装置を組み付けた撮像ユニットを示す斜視図であり、左下から右上までは、その撮像ユニットを、その撮像ユニットが組み付けられる撮像素子と共に示す分解斜視図である。
【００５８】
尚、図１０では、図８と異なる構成部分には番号に「″」を付けて示し、図８と同一構成部分には説明に必要な部分にのみ図８と同一の番号を付与して示している。また、本例におけるシャッタ装置４４″のシャッタ枠５１″との対向面は全面が平滑面であり、図８のような位置決め用凸部５６や図９のような位置決め用嵌合凹部６６及び６７は形成されていない。
【００５９】
本例では、シャッタ枠５１″の内周面に、シャッタ装置４４″の外周面を受け止めてシャッタ装置４４″を光軸Ｏの直角方向（Ｘ方向とＺ方向つまり第１と第３の方向）に対して立置決めするための位置決め突起６９が６ケ所に設けられている。換言すれば、シャッタ装置４４″は、光軸Ｏと平行な四方の端面を、シャッタ枠５１″の位置決め突起６９に当接係合する位置決め部として備えている。
【００６０】
これにより、撮像ユニット４６″の組上げに際し、図８の場合と同様に、シャッタ枠５１″の撮像素子４７の取り付け面とは反対側に、シャッタ装置４４″、弾性部材５５及び光学フィルタ４５が順に積層されるとき、シャッタ装置４４″の光軸Ｏと平行な四方の端面が、シャッタ枠５１″の内周面の６ケ所の位置決め突起６９にそれぞれ当接係合して、シャッタ装置４４″がシャッタ枠５１″つまり撮像素子４７に対して光軸Ｏの直角方向（Ｘ方向とＺ方向つまり第１と第３の方向）に対して位置決めされる。
【００６１】
シャッタ装置４４″の光軸Ｏ方向（Ｙ方向つまり第２の方向）の位置決めは、図８の場合と同様である。
【図面の簡単な説明】
【００６２】
【図１】本発明の光量調節装置が組み込まれた一眼レフデジタルカメラ本体とその交換レンズの正面図である。
【図２】本発明の光量調節装置であるフォーカルプレーンシャッタ装置の一例を示す分解斜視図である。
【図３】左下から右上に本発明の光量調節装置であるフォーカルプレーンシャッタ装置の他の例を分解斜視図で示し右下に分解斜視図のＡ矢視図を示している。
【図４】本発明のフォーカルプレーンシャッタ（光量調節装置）におけるシャッタ機構の駆動原理を説明する図である。
【図５】シャッタ機構のエレクトレットシャッタとその駆動回路を模式的に示す図である。
【図６】エレクトレットシャッタを駆動する駆動回路によって生成されてシャッタ機構の帯状電極に印加される電圧信号列を示す図である。
【図７】エレクトレットシャッタの動作を更に説明する図である。
【図８】左上は実施例１のフォーカルプレーンシャッタ装置（シャッタ装置）及び光学フィルタで構成された撮像ユニットを示す斜視図、左下から右上までは撮像ユニットを撮像素子（ＣＣＤ：Charge Coupled Device)と共に示す分解斜視図、右下は分解斜視図のＢ矢視図である。
【図９】左上は実施例２のシャッタ装置を組み付けた撮像ユニットを示す斜視図、左下から右上までは撮像ユニットを撮像ユニットが組み付けられる撮像素子と共に示す分解斜視図、右下は分解斜視図のＣ矢視図である。
【図１０】左上は実施例３のシャッタ装置を組み付けた撮像ユニットを示す斜視図、左下から右上までは撮像ユニットを撮像ユニットが組み付けられる撮像素子と共に示す分解斜視図である。
【符号の説明】
【００６３】
１      一眼レフデジタルカメラ本体
２      交換レンズ取り付け部
３      交換レンズ
４      撮像装置
５      握り部
６      シャッタボタン
７      フォーカルプレーンシャッタ装置（光量調整装置）
８      第１の基板
９      第１のスペーサ
１１    第１の遮光幕
１２    押さえ板
１３    第２の遮光幕
１４    第２のスペーサ
１５    第２の基板
１６    光学的開口部
１７    遮光幕非移動部
１８    帯状電極
１９    光学的開口部
２１    遮光幕非移動部
２２    帯状電極
２３    光学的開口部
２４    フォーカルプレーンシャッタ装置（光量調整装置）
２５    電極基板
２６    スペーサ
２７    遮光幕
２８    押さえ板
２９    光学的開口部
３１    塗装
３２    遮光幕非移動部
３３    帯状電極
３４    固定子
３５    移動子
３６    光学的開口部
３７    帯状電極
３８    駆動（電圧印加）回路
３９（３９ａ、３９ｂ）  誘電体（エレクトレット）
４１    パルス発生回路
４２    昇圧回路
４３    位相器
４４、４４´、４４″  シャッタ装置
４４−１、４４−２  遮光幕の移動方向に平行な外面
４５    光学フィルタ
４６、４６´、４６″  撮像ユニット
４７    撮像素子（ＣＣＤ：Charge Coupled Device)
４８    撮像素子固定板
４９    回路基板
５０    シャッタ装置固定部材
５１、５１´、５１″  シャッタ枠
５２    ネジ逃げ孔
５３、５４  ネジ孔
５５    弾性部材
５６    位置決め用凸部
５７    嵌合穴
５８    長穴
５９    爪部
５９−１  鉤部
６１    切り欠き部
６１−１  外側面
６２    内側面
６３    凹部
６４    光学的開口部
６５−１  内側枠
６５−２  外側枠
６６    丸穴の位置決め用嵌合凹部
６７    長穴の位置決め用嵌合凹部
６８    係合用凸部
６９    位置決め突起
【図１】
2006038885.tif 000003
【図２】
2006038885.tif 000004
【図３】
2006038885.tif 000005
【図４】
2006038885.tif 000006
【図５】
2006038885.tif 000007
【図６】
2006038885.tif 000008
【図７】
2006038885.tif 000009
【図８】
2006038885.tif 000010
【図９】
2006038885.tif 000011
【図１０】
2006038885.tif 000012